(57)【要約】【課題】分草ガイドにより分草された未刈地側の茎稈が、掻込リールに倒れ掛かって掻込リールの作用で引抜かれたり脱粒したりする問題を少なくし、連続作業を円滑に行えるものとして、収穫作業の能率を高める。【解決手段】汎用コンバインにおける掻込リール（４）の左右一側または左右両側に、掻込リール（４）の回転軸（１６）の軸心方向から視て、この掻込リール（４）よりも前方の位置から起立し、掻込リール（４）の前側を迂回して掻込リール（４）の上方に至る分草ガイド体（１７）を設ける。分草ガイド体（１７）には、分草具（１５Ｌ）のから前上がりに傾斜して設けた第１案内部（１７ａ）と、この第１案内部（１７ａ）の上端部から後方へ屈折ないし湾曲し、掻込リール（４）の回転軌跡（Ｋ）より上方の位置を通過して回転軸（１６）よりも後方の部位まで延出した第２案内部（１７ｂ）とを有する。【選択図】  図２
2014087293.tif 000002
【特許請求の範囲】
【請求項１】
左右の分草具（１５Ｌ，１５Ｒ）間に導入される作物茎稈を後方の刈刃装置（５）側に向けて掻き込む掻込リール（４）を備えた汎用コンバインにおいて、前記掻込リール（４）の左右一側または左右両側に、掻込リール（４）の回転軸（１６）の軸心方向から視て、この掻込リール（４）よりも前方の位置から起立し、掻込リール（４）の前側を迂回して該掻込リール（４）の上方に至る分草ガイド体（１７）を設けたことを特徴とするコンバイン。
【請求項２】
前記分草ガイド体（１７）には、前記分草具（１５Ｌ）のから前上がりに傾斜して設けた第１案内部（１７ａ）と、この第１案内部（１７ａ）の上端部から後方へ屈折ないし湾曲し、掻込リール（４）の回転軌跡（Ｋ）より上方の位置を通過して前記回転軸（１６）よりも後方の部位まで延出した第２案内部（１７ｂ）とを有する請求項１記載のコンバイン。
【請求項３】
前記第２案内部（１７ｂ）の前部を後上がりに傾斜させ、該第２案内部（１７ｂ）の後部には、後下がりに傾斜する第３案内部（１７ｃ）を形成した請求項２記載のコンバイン。
【請求項４】
前記分草ガイド体（１７）に、掻込リール（４）における回転軸（１６）よりも前側の側面を覆う覆い板（１８）を設けた請求項１又は請求項２又は請求項３記載のコンバイン。
【請求項５】
前記覆い板（１８）を透視可能な材料で形成した請求項４記載のコンバイン。
【発明の詳細な説明】
【技術分野】
【０００１】
この発明は、コンバインに関する。
【背景技術】
【０００２】
従来、掻込リールを備えたコンバインにおいて、刈取対象の茎稈と未刈側の茎稈との絡み付きを分離する手段として、その絡み付いた茎稈を左右に押し分け分離する分草ガイドを未刈側分草具の前方に装備した構成のものが知られている（例えば、特許文献１参照）。
【先行技術文献】
【特許文献】
【０００３】
【特許文献１】特開平４−２５２１１０号公報
【発明の概要】
【発明が解決しようとする課題】
【０００４】
上記従来構成のものでは、分草ガイドの先端が掻込リールより前方に遠く離れているため、特に稈長の長い菜種にあっては、未刈地側の茎稈が分草ガイドを通過した後で掻込リールの前側に倒れ込み、これがリールに絡み付いて連続作業を不能にする問題があった。
【課題を解決するための手段】
【０００５】
この発明は、上記課題を解決すべく次のような技術的手段を講じた。
すなわち、請求項１記載の発明は、左右の分草具（１５Ｌ，１５Ｒ）間に導入される作物茎稈を後方の刈刃装置（５）側に向けて掻き込む掻込リール（４）を備えた汎用コンバインにおいて、前記掻込リール（４）の左右一側または左右両側に、掻込リール（４）の回転軸（１６）の軸心方向から視て、この掻込リール（４）よりも前方の位置から起立し、掻込リール（４）の前側を迂回して該掻込リール（４）の上方に至る分草ガイド体（１７）を設けたことを特徴とするコンバインとする。
【０００６】
請求項２記載の発明は、前記分草ガイド体（１７）には、前記分草具（１５Ｌ）のから前上がりに傾斜して設けた第１案内部（１７ａ）と、この第１案内部（１７ａ）の上端部から後方へ屈折ないし湾曲し、掻込リール（４）の回転軌跡（Ｋ）より上方の位置を通過して前記回転軸（１６）よりも後方の部位まで延出した第２案内部（１７ｂ）とを有する請求項１記載のコンバインとする。
【０００７】
請求項３記載の発明は、前記第２案内部（１７ｂ）の前部を後上がりに傾斜させ、該第２案内部（１７ｂ）の後部には、後下がりに傾斜する第３案内部（１７ｃ）を形成した請求項２記載のコンバインとする。
【０００８】
請求項４記載の発明は、前記分草ガイド体（１７）に、掻込リール（４）における回転軸（１６）よりも前側の側面を覆う覆い板（１８）を設けた請求項１又は請求項２又は請求項３記載のコンバインとする。
【０００９】
請求項５記載の発明は、前記覆い板（１８）を透視可能な材料で形成した請求項４記載のコンバインとする。
【発明の効果】
【００１０】
請求項１記載の発明によれば、掻込リール（４）の左右一側または左右両側に、掻込リール（４）の回転軸（１６）の軸心方向から視て、この掻込リール（４）よりも前方の位置から起立し、掻込リール（４）の前側を迂回して該掻込リール（４）の上方に至る分草ガイド体（１７）を設けたので、従来技術のように、分草ガイドにより分草された未刈地側の茎稈が、掻込リール（４）に倒れ掛かって掻込リール（４）の作用で引抜かれたり脱粒したりすることが少なくなって、連続作業が円滑に行え、収穫作業の能率が高まる。
【００１１】
請求項２記載の発明によれば、請求項１記載の発明による効果に加えて、分草具（１５Ｌ）から前上がりに傾斜して設けた第１案内部（１７ａ）と、この第１案内部（１７ａ）の上端部から後方へ屈折ないし湾曲し、掻込リール（４）の回転軌跡（Ｋ）より上方の位置を通過して掻込リール（４）の回転軸（１６）よりも後方の部位まで延出した第２案内部（１７ｂ）とを有しているため、第１案内部（１７ａ）によって押し分けられた未刈側茎稈が、掻込リール（４）と回転軸（１６）に干渉することを第２案内部（１７ｂ）によって防止することができ、掻込リール（４）への茎稈の絡み付きを効果的に防止することができる。
【００１２】
請求項３記載の発明によれば、請求項２記載の発明による効果に加えて、後上がり傾斜した第２案内部（１７ｂ）よりも後方の部位では、後下がり傾斜した第３案内部（１７ｃ）によって茎稈の穂先部を案内するため、分草抵抗が軽減され、スムーズに後方へ案内することができる。
【００１３】
請求項４記載の発明によれば、請求項１又は請求項２又は請求項３記載の発明による効果に加えて、分草ガイド体（１７）に、掻込リール（４）における回転軸（１６）より前側の側面を覆う覆い板（１８）を設けているため、第１案内部（１７ａ）によって押し分けられた未刈側茎稈が掻込リール（４）側へ侵入することを防止でき、未刈側茎稈を速やかに後方へ導くことができる。
【００１４】
請求項５記載の発明によれば、請求項１から請求項４のいずれか１項に記載の発明による効果に加えて、覆い板（１８）から未刈側を透視できるため、収穫作業の能率が更に高まる。
【図面の簡単な説明】
【００１５】
【図１】汎用コンバインの側面図
【図２】同上要部の拡大側面図
【図３】同上要部の正面図
【図４】汎用コンバインの要部の側面図
【図５】同上要部の背面図
【図６】汎用コンバインの要部の側面図
【図７】同上要部の背面図
【発明を実施するための形態】
【００１６】
この発明の実施例を図面に基づき説明する。
図１は、圃場に立毛する稲麦や菜種等の作物茎稈を自走しながら刈り取って収穫する汎用コンバインを示すものであり、下部に左右一対の走行クローラ２，２を備えた車体１の前側には、作物茎稈を後方に掻き込む掻込タイン３を備えた掻込リール４と、掻込後の茎稈を切断処理するバリカン式刈刃装置５と刈取後の茎稈をテーブル６上に掻き込む掻込オーガ７等からなる刈取前処理部８を備えている。掻込リール４は、作物の種類或は丈の長さによって上下に昇降する構成であり、また、前後方向にも移動調整できる構成になっている。
【００１７】
刈取前処理部８の左側から後方にわたって装備されたフィーダハウス１０内には、刈取前処理部８からの作物茎稈を受け継いで後方上方に揚上搬送して脱穀部９内に供給するフィードコンベア１１が装備されている。フィーダハウス１０の右側には、運転席や操作ボックス等からなる運転操作部を取り囲むように覆うキャビン１２が装備され、キャビン１２の後方には収穫物を一時的に貯留するグレンタンク１３が設置されている。
【００１８】
刈取前処理部８には、テーブル６の左右端に設置された側枠板１４，１４の前部に分草具１５Ｌ，１５Ｒが装備されている。
未刈側となる左側の分草具１５Ｌには、前記掻込リール４の前方位置から該掻込リールの回転軸１６部より上方近くまで刈取対象の茎稈と未刈側の茎稈とを左右に押し分け分離する分草ガイド杆１７が設けられている。
【００１９】
分草ガイド杆１７は、回転軸１６の軸心方向から視て、掻込リール４の前方位置において未刈側分草具１６Ｌの先端部から前方上方に向けて傾斜する第１案内部１７ａと、この第１案内部１７ａの上端から屈折ないし湾曲し、リール外周軌跡Ｋの上方を迂回して後方へ延出する第２案内部１７ｂの前部とから、側面視で略くの字型に屈曲形成されている。そして、この第２案内部１７ｂの前部の後端からは、後方下方に向けて傾斜する第３案内部１７ｃが、第２案内部１７ｂの後部として連続して形成され、この第２案内部１７ｂの前部と第３案内部は、側面視への字型を呈する。
【００２０】
なお、掻込リール４の対地高さは、作物の種類等によって変化するが、このリールの高さ設定が使用頻度の高い最下げ位置（菜種や鳩麦の収穫作業ではリールは最下降位置で行う）から標準上げ位置までの間においては、少なくとも、分草ガイド杆１７の後上り傾斜案内部１７ｂ上端部が掻込リール４のリール外周軌跡（回転軌跡）Ｋより上方に位置するよう設定しておくことが望ましい。
【００２１】
なお、また、分草ガイド杆１７の前上り第１案内部１７ａの下端側は、接地面より前側に高くなるように傾斜角θを保持させた構成としている。これによると、地面スレスレを刈り取っても抵抗なく作物を後方へ導くことができる。
【００２２】
側面視くの字型を呈する第１案内部１７ａと第２案内部１７ｂの前部の内側には、未刈側茎稈の掻込リール４側への侵入を防ぐ覆い板１８が設けられている。この覆い板１８は、樹脂材よりできていて、透視可能な透明体から形成されている。
【００２３】
分草ガイド杆１７における第１案内部１７ａから第２案内部１７ｂへ屈折ないし湾曲した部位と、リール支持アーム１９とを連結バー２０によって連結している。これによると、背の高い分草ガイド杆１７の屈折ないし湾曲した部位を支持することにより、この分草ガイド杆１７の振動が軽減され、耐久性向上にもつながる。
【００２４】
掻込リール４の軸芯部は、該掻込リール４への伝動機構２１を覆う安全カバー２２を設けて後方へ延出し、未刈側茎稈の侵入防止と案内作用を兼ねるように構成している。
図４及び図５に示す実施例は、エアコンを有する汎用コンバインにおいて、冷房用コンデンサ２５を昇降可能なハイリフトタンク２６の後方に配置して設けた構成である。従来のように、運転席下方のラジエータ室のラジエータ前方にコンデンサを設けたものでは、コンデンサの熱影響をラジエータが受けると共に、外気からの風量を減少させ、オーバーヒートの原因となっていたが、コンデンサをハイリフトタンク上方に設置することで、塵埃の影響を受けにくく、防塵ネットへの目詰まりが防止できる。また、コンデンサがラジエータ前面にないため、ラジエータの冷却効果が向上する。また、タンクの後方設置であるため、外部からの障害物から保護され、且つ、タンク上昇による気流の変化で冷却効果がアップする。
【００２５】
また、コンデンサ冷却用正逆転ファン２７は、ハイリフトタンク２６側に配置しておくことが望ましい。
コンデンサ２５の下方には、機体後方下方に向けて傾斜する傾斜カバー２８を設けておくことで、落下する塵埃が機外へ流出され、塵埃の堆積を防止できる。
【００２６】
タンク支持フレーム２９からコンデンサを下方から受けるコンデンサ支持フレーム３０を突設している。
図６及び図７に示す実施例では、ハイリフトタンク支持枠３１と走行フレーム３２を結ぶ連結フレーム３３にコンデンサ２５を支持させ、この連結フレーム３３をラダー（梯子）構成としている。
【００２７】
上記構成によると、ハイリフトタンク支持枠と走行フレームを結ぶ連結フレームを設けることにより、ハイリフトタンク支柱の剛性がアップし、タンクの上昇下降動作が安定する。また、連結フレームが梯子になっているため、タンク上へ容易に上がることができる。
【符号の説明】
【００２８】
３    掻込タイン
４    掻込リール
５    刈刃装置
１５    分草具
１６    リール回転軸
１７    分草ガイド杆
１７ａ  第１案内部
１７ｂ  第２案内部
１７ｃ  第３案内部
１８    覆い板
Ｋ    リール外周回転軌跡（回転軌跡）
【図１】
2014087293.tif 000003
【図２】
2014087293.tif 000004
【図３】
2014087293.tif 000005
【図４】
2014087293.tif 000006
【図５】
2014087293.tif 000007
【図６】
2014087293.tif 000008
【図７】
2014087293.tif 000009